(57)【特許請求の範囲】
【請求項１】
ＴＣＰ／ＩＰ（Transmission Control Protocol ／Internet Protocol ）プロトコルによるＩＰ（Internet Protocol ）網に対して、ＴＣＰ／ＩＰプロトコルとＸ．２５プロトコルとの相互の変換を行うプロトコル変換手段を複数個分散して接続し、任意個数のプロトコル変換手段にはそれぞれホストコンピュータを接続するとともに、他の任意個数のプロトコル変換手段にはそれぞれ複数個のＸ．２５パケット端末を分散接続して、
それぞれのプロトコル変換手段に接続されたホストコンピュータとＸ．２５パケット端末間、又はＸ．２５パケット端末相互間で、Ｘ．２５プロトコルによって前記ＩＰ網を介して相互に通信を行えるようにしてＸ．２５パケット交換網を構成したことを特徴とする分散型パケット交換網。
【請求項２】
前記プロトコル変換手段を、複数個のＸ．２５パケット端末ごとに１個ずつ分散配置することによって、Ｘ．２５パケット端末をＩＰ網に分散収容して、Ｘ．２５パケット交換網を構成したことを特徴とする請求項１記載の分散型パケット交換網。
【請求項３】
前記Ｉ／Ｐ網が既設のものであることを特徴とする請求項１又は２記載の分散型パケット交換網。
【請求項４】
前記プロトコル変換手段が、前記ＴＣＰ／ＩＰプロトコルによる通信網との間でパケットの送受信の処理を行う第１のパケット送受信処理手段と、前記Ｘ．２５プロトコルによる端末との間でパケットの送受信の処理を行う第２のパケット送受信処理手段と、前記第１のパケット送受信処理手段と第２のパケット送受信処理手段との間におけるプロトコルのインタフェースをとって相互間におけるパケット送受信の制御を行うプロトコル変換制御手段とを備えることを特徴とする請求項１乃至３のいずれか一記載の分散型パケット交換網。
【請求項５】
前記第１のパケット送受信処理手段が、Ｘ．２５パケットの論理チャネルとＴＣＰポート番号のマッピング処理を行うとともに、送信先プロトコル変換手段との接続制御を行うＴＣＰプロトコル制御手段と、該ＴＣＰプロトコル制御手段からのＸ．２５パケットの送信先アドレスから送信先Ｘ．２５パケット端末が収容されているプロトコル変換手段のアドレスを特定して前記ＴＣＰ／ＩＰプロトコルによる通信網へのヘッダに挿入するとともに、送信先プロトコル変換手段に接続された端末のアドレスを決定するＩＰプロトコル制御手段とを備えることを特徴とする請求項４記載の分散型パケット交換網。
【請求項６】
前記第２のパケット送受信処理手段が、Ｘ．２５パケット端末との間でレベル１の終端を行うＸ．２５プロトコルレベル１制御手段と、前記Ｘ．２５パケット端末との間でレベル２の終端を行うＸ．２５プロトコルレベル２制御手段と、前記Ｘ．２５パケット端末からの呼の設定，開放のための接続処理と、誤り制御及びフロー制御処理を行うＸ．２５プロトコルレベル３制御手段とを備えることを特徴とする請求項４記載の分散型パケット交換網。
【請求項７】
前記プロトコル変換制御手段が、前記Ｘ．２５プロトコル制御手段からのＸ．２５パケットから相手先プロトコル変換手段への接続制御用ヘッダを作成して前記Ｘ．２５パケットに付加することを特徴とする請求項４記載の分散型パケット交換網。
【発明の詳細な説明】
【０００１】
【発明の属する技術分野】
この発明は、分散型パケット交換網に係り、詳しくは、Ｘ．２５パケット端末をＩＰ（Internet Protocol ）網に分散的に収容する、大容量の分散型ｘ．２５パケット交換網に関する。
【０００２】
【従来の技術】
従来、ＩＴＵ−Ｔ（International Telecommunication Union-Telecommunication Standardization Sector）勧告Ｘ．２５に規定されたＸ．２５パケット端末を収容する大容量パケット交換網としては、交換系，集線系及び加入者系から構成された個別網を構築する方式が知られている。
図３は、従来の大容量Ｘ．２５パケット交換網の構成例を示したものである。
従来の大容量Ｘ．２５パケット交換網は、図３に示すように、加入者系を構成するＸ．２５パケット端末１００（１），１００（２），…，１００（ｍ）と、ホストコンピュータ１１０（１），…，１１０（ｎ）とに対して、Ｘ．２５パケット交換機（ＰＳ）１２０（１），１２０（２），…，１２０（ｐ）と、Ｘ．２５パケット多重化装置（ＰＭＸ）１３０（１），…，１３０（ｑ）とを備えた概略構成を有している。
【０００３】
Ｘ．２５パケット端末１００（１），１００（２），…，１００（ｍ）は加入者系を構成し、ＩＴＵ−Ｔ勧告Ｘ．２５で規定されているＸ．２５プロトコルによって、通信を行う機能を有している。ホストコンピュータ１１０（１），…，１１０（ｎ）は、ｘ．２５プロトコルによって、情報通信サービスを提供する。Ｘ．２５パケット交換機（ＰＳ）１２０（１），１２０（２），…，１２０（ｐ）は交換系を構成し、Ｘ．２５プロトコルによって、ホストコンピュータ１１０（１），…，１１０（ｎ）等と、Ｘ．２５パケット多重化装置（ＰＭＸ）１３０（１），…，１３０（ｑ）とを交換接続する。Ｘ．２５パケット多重化装置（ＰＭＸ）１３０（１），…，１３０（ｑ）は集線系を構成し、Ｘ．２５プロトコルによって、交換系のＸ．２５パケット交換機（ＰＳ）１２０（１），１２０（２），…，１２０（ｐ）と、加入者系のＸ．２５パケット端末１００（１），１００（２），…，１００（ｍ）とを集線接続する。
【０００４】
図３に示された従来例のＸ．２５パケット交換網においては、各Ｘ．２５パケット端末１００（１），１００（２），…，１００（ｍ）からの加入者線を、Ｘ．２５パケット多重化装置（ＰＭＸ）１３０（１），…，１３０（ｑ）からなる集線系を経て集線したのち、Ｘ．２５パケット交換機（ＰＳ）１２０（１），１２０（２），…，１２０（ｐ）からなる交換系を経て交換処理して、ホストコンピュータ１１０（１），…，１１０（ｎ）に接続するとともに、ホストコンピュータ１１０（１），…，１１０（ｎ）からの情報を、Ｘ．２５パケット交換機（ＰＳ）１２０（１），１２０（２），…，１２０（ｐ）からなる交換系を経て交換処理したのち、Ｘ．２５パケット多重化装置（ＰＭＸ）１３０（１），…，１３０（ｑ）からなる集線系を経て分配して、Ｘ．２５パケット端末１００（１），１００（２），…，１００（ｍ）に接続する。
【０００５】
【発明が解決しようとする課題】
従来のＸ．２５パケット交換網は、図３に示されるように、交換系と集線系と加入者系とから構成される個別網として構築されていた。そのため、大容量のパケット交換網を形成しようとすると、膨大な設備投資が必要になるという問題があった。
また、このような交換系及び集線系を接続するためには、専用線やＩＳＤＮ（Integrated Services Digital Network ）等のような、通信業者が提供する通信回線を利用しなければならないため、通信コストが増大することを避けられないという問題があった。
【０００６】
この発明は、上述の事情に鑑みてなされたものであって、大容量の、Ｘ．２５パケット交換網を構築する際に、設備投資を最小限に抑えることができるとともに、交換網における通信コストの増大を避けることが可能な、分散型パケット交換網を提供することを目的としている。
【０００７】
【課題を解決するための手段】
上記課題を解決するため、請求項１記載の発明は分散型パケット交換網に係り、ＴＣＰ／ＩＰ（Transmission Control Protocol ／Internet Protocol ）プロトコルによるＩＰ（Internet Protocol ）網に対して、ＴＣＰ／ＩＰプロトコルとＸ．２５プロトコルとの相互の変換を行うプロトコル変換手段を複数個分散して接続し、任意個数のプロトコル変換手段にはそれぞれホストコンピュータを接続するとともに、他の任意個数のプロトコル変換手段にはそれぞれ複数個のＸ．２５パケット端末を分散接続して、それぞれのプロトコル変換手段に接続されたホストコンピュータとＸ．２５パケット端末間、又はＸ．２５パケット端末相互間で、Ｘ．２５プロトコルによって上記ＩＰ網を介して相互に通信を行えるようにしてＸ．２５パケット交換網を構成したことを特徴としている。
【０００８】
また、請求項２記載の発明は、請求項１記載の分散型パケット交換網に係り、上記プロトコル変換手段を、複数個のＸ．２５パケット端末ごとに１個ずつ分散配置することによって、Ｘ．２５パケット端末をＩＰ網に分散収容して、Ｘ．２５パケット交換網を構成したことを特徴としている。
【０００９】
また、請求項３記載の発明は、請求項１又は２記載の分散型パケット交換網に係り、上記Ｉ／Ｐ網が既設のものであることを特徴としている。
【００１０】
また、請求項４記載の発明は、請求項１乃至３のいずれか一記載の分散型パケット交換網に係り、上記プロトコル変換手段が、上記ＴＣＰ／ＩＰプロトコルによる通信網との間でパケットの送受信の処理を行う第１のパケット送受信処理手段と、上記Ｘ．２５プロトコルによる端末との間でパケットの送受信の処理を行う第２のパケット送受信処理手段と、上記第１のパケット送受信処理手段と第２のパケット送受信処理手段との間におけるプロトコルのインタフェースをとって相互間におけるパケット送受信の制御を行うプロトコル変換制御手段とを備えることを特徴としている。
【００１１】
また、請求項５記載の発明は、請求項４記載の分散型パケット交換網に係り、上記第１のパケット送受信処理手段が、Ｘ．２５パケットの論理チャネルとＴＣＰポート番号のマッピング処理を行うとともに、送信先プロトコル変換手段との接続制御を行うＴＣＰプロトコル制御手段と、該ＴＣＰプロトコル制御手段からのＸ．２５パケットの送信先アドレスから送信先Ｘ．２５パケット端末が収容されているプロトコル変換手段のアドレスを特定して上記ＴＣＰ／ＩＰプロトコルによる通信網へのヘッダに挿入するとともに、送信先プロトコル変換手段に接続された端末のアドレスを決定するＩＰプロトコル制御手段とを備えることを特徴としている。
【００１２】
また、請求項６記載の発明は、請求項４記載の分散型パケット交換網に係り、上記第２のパケット送受信処理手段が、Ｘ．２５パケット端末との間でレベル１の終端を行うＸ．２５プロトコルレベル１制御手段と、上記Ｘ．２５パケット端末との間でレベル２の終端を行うＸ．２５プロトコルレベル２制御手段と、上記Ｘ．２５パケット端末からの呼の設定，開放のための接続処理と、誤り制御及びフロー制御処理を行うＸ．２５プロトコルレベル３制御手段とを備えることを特徴としている。
【００１３】
また、請求項７記載の発明は、請求項４記載の分散型パケット交換網に係り、上記プロトコル変換制御手段が、上記Ｘ．２５プロトコル制御手段からのＸ．２５パケットから相手先プロトコル変換手段への接続制御用ヘッダを作成して上記Ｘ．２５パケットに付加することを特徴としている。
【００１４】
【発明の実施の形態】
以下、図面を参照して、この発明の実施の形態について説明する。説明は、実施例を用いて具体的に行う。
図１は、本発明の一実施例である分散型Ｘ．２５パケット交換網の構成を示す図、図２は、本実施例におけるＸＯＴ（X.25 Over TCP ）変換装置の原理的構成を示す図である。
この例の分散型Ｘ．２５パケット交換網は、図１に示すように、既設のＩＰ網１に対して、複数のＸＯＴ変換装置２（１），…，２（３），２（４）…，２（ｒ）を接続するとともに、例えばＸＯＴ変換装置２（１）に複数のＸ．２５パケット端末３（１），…３（ｓ）を接続し、ＸＯＴ変換装置２（３）に複数のＸ．２５パケット端末４（１），…４（ｔ）を接続し、ＸＯＴ変換装置２（４）にホストコンピュータ５を接続し、ＸＯＴ変換装置２（ｒ）にホストコンピュータ６を接続した概略構成を有している。なお、ＩＰ網１には、他にＩＰ端末７，８，…が接続されている。
【００１５】
ＩＰ網１は、ＴＣＰ／ＩＰ（Transmission Control Protocol ／Internet Protocol ）プロトコルによって、複数のＩＰ端末７，８，…と、ＸＯＴ変換装置２（１），…，２（３），２（４），…，２（ｒ）とを相互に接続する。ＸＯＴ変換装置２（１），…，２（３），２（４），…，２（ｒ）は、Ｘ．２５プロトコルとＴＣＰ／ＩＰプロトコルとの相互の変換を行って、Ｘ．２５パケット端末３（１），…３（ｓ），４（１），…４（ｔ）と、ホストコンピュータ５，６とをＩＰ網１に収容する。
Ｘ．２５パケット端末３（１），…３（ｒ），４（１），…４（ｔ）は、Ｘ．２５プロトコルによって動作して、情報の送受を行う。ホストコンピュータ５，６は、Ｘ．２５プロトコルによって情報通信サービスを提供する。ＩＰ端末７，８，…は、ＩＰプロトコルによってＩＰ網１に接続して、ＩＰ網１に収容されている他のＩＰ端末と通信を行うとともに、ＸＯＴ変換装置２（１），…，２（３），２（４），…，２（ｒ）を介して、各Ｘ．２５パケット端末やホストコンピュータとの間で通信を行う。
【００１６】
以下、図１を参照して、この例の分散型パケット交換網の動作を説明する。
この例においては、Ｘ．２５プロトコルとＴＣＰ／ＩＰプロトコルとのインタフェースを実現するＸＯＴ変換装置を、Ｘ．２５端末１０数台程度ごとに１台分散配置して、Ｘ．２５端末を既設ＩＰ網に分散的に収容することによって、大容量Ｘ．２５パケット交換網を構成している。
図１に示されるように、ＸＯＴ変換装置２（１），…，２（３）を介して、Ｘ．２５パケット端末３（１），…３（ｓ），…，４（１），…，４（ｔ）を既設のＩＰ網１に収容し、ＸＯＴ変換装置２（４），…，２（ｒ）を介して、ホストコンピュータ５，６をＩＰ網１に収容することによって、例えばＸ．２５パケット端末３（１）は、ＩＰ網１を介して、複数の端末（例えばホストコンピュータ５とＸ．２５パケット端末４（１））に対して、同時に複数の論理チャネルを設定することができ、通信を行うことが可能になる。
この際、ＩＰ網１との間のプロトコルの変換は、それぞれのＸＯＴ変換装置が行うので、Ｘ．２５プロトコルによるホストコンピュータ５や、Ｘ．２５パケット端末３（１），４（１）は、ＩＰ網１を介していることを意識せずに、相互に通信を行うことができる。
【００１７】
次に、図２を参照して、この例の場合のＸＯＴ変換装置の構成を、さらに詳細に説明する。
この例のＸＯＴ変換装置は、図２に示すように、Ｘ．２５プロトコル制御部１１と、ＸＯＴ制御部１２と、ＴＣＰプロトコル制御部１３と、ＩＰプロトコル制御部１４とから概略構成されている。
Ｘ．２５プロトコル制御部１１は、Ｘ．２５プロトコルレベル１制御部１１（１１），…，１１（ｋ１）と、Ｘ．２５プロトコルレベル２制御部１１（１２），…，１１（ｋ２）と、Ｘ．２５プロトコルレベル３制御部１１（１３），…，１１（ｋ３）とを有している。
【００１８】
Ｘ．２５プロトコルレベル１制御部１１（１１），…，１１（ｋ１）は、Ｘ．２５パケット端末２０（１），…，２０（ｋ）との間で、Ｘ．２５勧告のレベル１（電気的条件，物理的条件）の終端を行い、Ｘ．２５プロトコルレベル２制御部１１（１２），…，１１（ｋ２）は、Ｘ．２５パケット端末２０（１），…，２０（ｋ）との間で、Ｘ．２５勧告のレベル２（フレームレベルプロトコル）の終端を行い、さらにＸ．２５プロトコルレベル３制御部１１（１３），…，１１（ｋ３）は、Ｘ．２５パケット端末２０（１），…，２０（ｋ）との間で、Ｘ．２５勧告のレベル３（パケットレベルプロトコル）の呼の設定，開放のための接続制御と、誤り制御及びフロー制御を行う。
【００１９】
ＸＯＴ制御部１２は、ＸＯＴヘッダ付加部１２（１）を有し、Ｘ．２５プロトコル制御部１１からのＸ．２５パケットから、送信先ＸＯＴ変換装置に対する接続制御用ヘッダ（ＸＯＴヘッダ）を作成して、パケットに付加する機能を有している。
ＴＣＰプロトコル制御部１３は、論理チャネル／ＴＣＰポートマッピング機能部１３（１）を有し、Ｘ．２５パケットの論理チャネル（ＬＣＧＮ（Logical Channel Group Nunber），ＬＣＮ（Logical Channel Number））と、ＴＣＰポート番号のマッピング処理を行い、さらに、送信先ＸＯＴ変換装置との接続制御を行う。
【００２０】
ＩＰプロトコル制御部１４は、ＤＴＥ（Data Terminal Equipment ）アドレス／ＩＰアドレスマッピング機能部１４（１）と、ＡＲＰ（Address Resolution Protocol）機能部１４（２）とを有し、ＤＴＥアドレス／ＩＰアドレスマッピング機能部１４（１）によって、Ｘ．２５プロトコル制御部１１から受信したＸ．２５パケットの送信先ＤＴＥアドレスから、送信先Ｘ．２５パケット端末が収容されているＸＯＴ変換装置のＩＰアドレスを特定して、ＩＰ網３０への接続制御用ヘッダ（ＩＰヘッダ）に挿入する機能を実行するとともに、ＡＲＰ機能部１４（２）によって、ＩＰ網３０に収容された送信先ＸＯＴ変換装置に接続されたＸ．２５プロトコルによる端末のＭＡＣ（Media Access Control）アドレスを決定するＡＲＰ機能を実現する。
【００２１】
以下、図２を参照して、この例のＸＯＴ変換装置の動作を説明する。
いま、例えばＸ．２５パケット端末２０（１）が、ＩＰネットワーク３０を介して通信を行おうとする場合には、Ｘ．２５プロトコルによるパケットを生成して、ＸＯＴ変換装置へ送出する。
ＸＯＴ変換装置において、Ｘ．２５プロトコル制御部１１では、Ｘ．２５パケット端末との間で、Ｘ．２５勧告のレベル１，レベル２の終端を行い、さらにＸ．２５勧告のレベル３の呼の設定，開放のための接続制御と、誤り制御及びフロー制御を行う。
次に、ＸＯＴ制御部１２では、Ｘ．２５プロトコル制御部１１からのＸ．２５パケットから、送信先ＸＯＴ変換装置への接続制御用のＸＯＴヘッダを作成して、パケットに付加して送出する。
【００２２】
次に、ＴＣＰプロトコル制御部１３では、Ｘ．２５パケットの論理チャネルとＴＣＰポート番号とのマッピング処理を行うとともに、送信先ＸＯＴ変換装置への接続制御を行う。
次に、ＩＰプロトコル制御部１４では、Ｘ．２５プロトコル制御部１１から受信したＸ．２５パケットの送信先ＤＴＥアドレスから、送信先Ｘ．２５パケット端末が接続されているＸＯＴ変換装置のＩＰアドレスを特定して、ＩＰ網３０へのＩＰヘッダに挿入するとともに、送信先ＸＯＴ変換装置のＭＡＣアドレスを決定することによって、ＴＣＰ／ＩＰプロトコルのパケットに変換して、ＩＰ網３０へ送出する。
【００２３】
ＩＰ網３０からＴＣＰ／ＩＰパケットを受信した送信先ＸＯＴ変換装置では、上述と逆の順序で処理を行うことによって、ＴＣＰ／ＩＰパケットをＸ．２５パケットに変換して、送信先Ｘ．２５パケット端末へ送信する。
【００２４】
このように、この例の分散型Ｘ．２５パケット交換網によれば、既設のＩＰ網にＸＯＴ変換装置を介してＸ．２５端末を分散的に収容するようにしたので、Ｘ．２５パケット交換網を個別網として構築しないでも、大容量Ｘ．２５パケット交換網を構成することができるので、大容量Ｘ．２５パケット交換網を構築する際の設備投資を最小限に抑えることができる。
また、この例の分散型Ｘ．２５パケット交換網では、既設ＩＰ網にＸ．２５パケット交換網を収容するために、新たに専用線を敷設したり、あるいはＩＳＤＮ等のような、通信業者が提供する通信回線を利用する必要がないので、通信コストを最小限に抑えることができる。
【００２５】
以上、この発明の実施例を図面により詳述してきたが、具体的な構成はこの実施例に限られたものではなく、この発明の要旨を逸脱しない範囲の設計の変更等があってもこの発明に含まれる。例えば、既設のＸ．２５パケット網をＩＰ網に接続する際に、上述の実施例の場合と同様にＸＯＴ変換装置を介してＩＰ網に接続することによって、容易に分散型Ｘ．２５パケット交換網を構成することができる。また、既設のＸ．２５パケット網のネットワーク機器の更改時に、既設のＸ．２５パケット端末をＸＯＴ変換装置を介してＩＰ網に接続することによって、容易に、ＩＰ網に取り込むことができる。
【００２６】
【発明の効果】
以上説明したように、この発明の分散型パケット交換網によれば、最小限の設備投資で、大容量のＸ．２５パケット交換網を構成することができるとともに、最小限の通信コストで、既設ＩＰ網にＸ．２５パケット交換網を収容することができるようになる。
【図面の簡単な説明】
【図１】本発明の一実施例である分散型Ｘ．２５パケット交換網の構成を示す図である。
【図２】本実施例におけるＸＯＴ変換装置の原理的構成を示す図である。
【図３】従来の大容量Ｘ．２５パケット交換網の構成例を示す図である。
【符号の説明】
１      ＩＰ網（第１のプロトコルによる通信網）
２（１），…，２（３），２（４），…，２（ｒ）      ＸＯＴ変換装置（プロトコル変換手段）
３（１），…，３（ｓ），４（１），…，４（ｔ）      Ｘ．２５パケット端末（第２のプロトコルによる端末）
５，６      ホストコンピュータ
１１      Ｘ．２５プロトコル制御部（第２のパケット送受信処理手段）
１２      ＸＯＴ制御部（プロトコル変換制御手段）
１３      ＴＣＰプロトコル制御部（ＴＣＰプロトコル制御手段）（第１のパケット送受信処理手段）
１４      １Ｐプロトコル制御部（ＩＰプロトコル制御手段）（第１のパケット送受信処理手段）
【図１】
0003637881.tif 000002
【図２】
0003637881.tif 000003
【図３】
0003637881.tif 000004